(57)【要約】【課題】  切断屑を完全に除去することができるようにするとともに、装置構成や動作が単純でコンパクトなスロッタ装置を提供すること。【解決手段】  本発明のスロッタ装置１３は、シートＡに溝切り加工を施す前端スロッタ３２（又は後端スロッタ３３）を有するスロッタ装置１３であって、前記前端スロッタ３２（又は後端スロッタ３３）の下方に対向配置された前端受スロッタ３４（又は後端受スロッタ３５）の外周に、前記前端受スロッタ３４（又は後端受スロッタ３５）と共に回転する前端屑落し手段３４１（又は後端屑落し手段３５１）が備わり、前記前端屑落し手段３４１（又は後端屑落し手段３５１）は、前記シートＡの前端コーナ部切断屑ｆ１５（又は後端コーナ部切断屑ｆ１７）を掛止して除去する。【選択図】  図２
2020023035.tif 000002
【特許請求の範囲】
【請求項１】
シートに溝切り加工を施すスロッタを有するスロッタ装置であって、前記スロッタの下方に対向配置された受スロッタに、前記受スロッタと共に回転する屑落し手段が備わり、前記屑落し手段は、前記シートの切断屑を掛止して除去するものであることを特徴とするスロッタ装置。
【請求項２】
前記屑落し手段が、前記受スロッタの外周上に、全周にわたって配されていることを特徴とする請求項１記載のスロッタ装置。
【請求項３】
前記屑落し手段が、前記切断屑を突き刺して除去する二叉状の保持刃または針状の掛止針であることを特徴とする請求項１又は２記載のスロッタ装置。
【請求項４】
前記スロッタが、前記屑落し手段に対向配置された屑落し受台を備え、前記屑落し手段と前記屑落し受台とにより前記シートを挟み込むことを特徴とする請求項１から３のいずれか一項記載のスロッタ装置。
【発明の詳細な説明】
【技術分野】
【０００１】
本発明は、段ボール箱のブランクを形成するスロッタ装置に関する。
【背景技術】
【０００２】
一般に、製函機は、上流側から順に、給紙ユニット、印刷ユニット、スロッタ装置、ダイカッタ、グルア、フォルダ、及びカウンタユニットを備える。給紙ユニットは、シート（シート状のワーク）を印刷ユニット側に送り出す。印刷ユニットは、シートに印刷を施す。スロッタ装置は、シートに罫線付与と溝切り加工とフラップカット等を施す。ダイカッタは、シートに抜き加工を施す。グルアは、シート同士を貼り合わせする箇所（継代ｆ）に糊付けする。フォルダは、シートを折り曲げて接合する。カウンタユニットは、上記加工が施されたシートを揃えて積み上げる。
【０００３】
一般に、製函機とは、シート（例えば段ボールシート等）に高速で上記一連の加工を施す装置を指しており、箱体（例えば段ボール箱等）に組立てる手前の状態まで加工する装置を指す。シートとしては、段ボールシートや厚紙、これらと樹脂や金属等との複合材料を含む。
【０００４】
スロッタ装置には、継代貼り合せ後のシート板厚の総計を薄くする方向で調整するためのクラッシャ、シートから継代を切り出すフラップカッタ、シートに罫線付与を施す押罫部材、シートに溝切り加工を施すスロッタが備わる。
【０００５】
フラップカッタの外周には、このフラップカッタと共に回転するフラップカッタ刃が取り付けられている。またスロッタの外周には、このスロッタと共に回転するスロッタ刃が取付けられている。上流から送り込まれてきたシートは、フラップカッタ刃およびスロッタ刃によりシートがカットされて、継代が形成される。
【０００６】
図８は、製函機によって製造された、内貼り箱となるシートＡを示す正面図である。製函機によってこのように抜き加工が施された段ボールシートは、ブランクとも呼ばれる。
【０００７】
シートＡは、一方向に順に、長さ面ａ１、幅面ｂ１、長さ面ａ２、幅面ｂ２がタテ罫線ｃ（クリーズ）を介して交互に連成されている。各長さ面ａ１，ａ２、各幅面ｂ１、ｂ２の両側にはヨコ罫線ｄ（スコア）を介してフラップｅが連成されている。また、一方の幅面ａ１の端縁にタテ罫線ｃを介して継代ｆ（糊代）が連成されている。継代ｆと幅面ｂ２の端縁に位置した貼付け部ｇとを貼り合わせることでシートＡを組み立て、箱体とする。
【先行技術文献】
【特許文献】
【０００８】
【特許文献１】特許第３３９６５９７号公報
【発明の概要】
【発明が解決しようとする課題】
【０００９】
ところで、フラップカッタ刃やスロッタ刃の刃先の摩耗などにより切断屑の切断不良が発生する場合、切断屑が長い場合、あるいは硬いシートが使用される場合に、スロッタ装置において、除去されるべき切断屑が継代に一部繋がった状態でシートと共に排出されることや切断屑回収箇所以外に飛散することがあった。
【００１０】
このような状態で排出されると、シートを次工程のグルアで接着し、フォルダで扁平な箱体にする場合に、継代に一部繋がった状態の切断屑が、糊付けや接着の邪魔となり、不良な箱体が生じていた。
【００１１】
特許文献１は、コーナかすを確実に除去することができるスロッタ装置を提供するものである。スロッタ装置は、段ボールシートＡ０の移送路上に刃物台１１を設け、その下方に受スロッタ２１を設ける。また刃物台１１にスロット形成用のスロッタ刃１２と、そのスロッタ刃１２に交差する継ぎしろナイフ１３とを設けて送り込まれてくる段ボールシートＡ０の一側前後のコーナ部を切断してジョイントフラップ６を形成する。そしてジョイントフラップ６の移送路に複数の弾性片３２を有する一対のかす落し具３０を上下に設け、各かす落し具３０の回転により、弾性片３２によってジョイントフラップ６につながるコーナかすを除去する。
【００１２】
しかしこの場合、かす落とし具を新たに必要とするため装置が大型化し、モータも別に必要とする。また、上軸１０や下軸２０の回転動作と、かす落とし具の動作とを同期させる必要があり動作が複雑化する。
【００１３】
そこで、本発明の目的は、切断屑を完全に除去することができるようにするとともに、装置構成や動作が単純でコンパクトなスロッタ装置を提供することにある。
【課題を解決するための手段】
【００１４】
本発明のスロッタ装置は、シートに溝切り加工を施すスロッタを有するスロッタ装置であって、前記スロッタの下方に対向配置された受スロッタに、前記受スロッタと共に回転する屑落し手段が備わり、前記屑落し手段は、前記シートの切断屑を掛止して除去するものであることを特徴とする。
受スロッタは、スロッタの下方に対向配置されており、スロッタ刃でシートを切断する際にスロッタ刃を受ける目的で使用される。すなわちスロッタと受スロッタとを回転させながらシートを送り込み、スロッタ上のスロッタ刃をシートに接触させて切断するとともに、スロッタ刃を受スロッタで受けることで、シートにスロット用の溝切り加工を施す。
屑落し手段とは、切断屑を掛止して落とすためのものである。屑落し手段は、受スロッタの外周面に設けられている。前端受スロッタの外周面には前端屑落し手段が備えられ、後端スロッタの外周面には後端屑落し手段が備えられる。
切断屑とは、スロッタ装置により切断されて生じる屑を指す。例えば本発明において切断屑とはコーナ部切断屑である。コーナ部切断屑とは、前端コーナ部切断屑または後端コーナ部切断屑の少なくともいずれか一方を指す。
前端コーナ部切断屑とは、図４で示す符号ｆ１５の部分であり、シートの継代前端の角であって、切断屑として除去される領域を指す。
後端コーナ部切断屑とは、図４で示す符号ｆ１７の部分であり、シートの継代後端の角であって、切断屑として除去される領域を指す。
より詳細には、図３に示すようにフラップカッタ刃によって、シートの継代側部前端ｆ２および継代側部後端ｆ３を切断した後、前記スロッタ刃によって、前端側のスロット形成部ｆ４および後端側のスロット形成部ｆ９を、その一部を切断せず繋がった状態で残すように切断する。そして図４に示すように前記屑落し手段の保持刃や掛止針の先端を、継代領域ｆ１上において、前端コーナ部切断屑ｆ１５および後端コーナ部切断屑ｆ１７に貫通させてこれを掛止する。その後、屑落しガイドによって前端コーナ部切断屑ｆ１５および後端コーナ部切断屑ｆ１７を除去することで、前記シートＡの端縁に継代ｆを形成する。
本発明によれば、屑落し手段が受スロッタの外周上に備わるため、スロッタ刃によって切断するとともに切断屑を除去することができ、装置構成がコンパクトとなり、単純な動作で切断屑を完全に除去することができる。
また本発明によれば、屑落し手段が前端受スロッタに配されることで、前端コーナ部切断屑を容易に除去でき、屑落し手段が後端受スロッタに配されることで、後端コーナ部切断屑を容易に除去できる。屑落し手段は前端受スロッタと後端受スロッタの両方に配されていてもよく、両受スロッタに配されることで、前端コーナ部切断屑と後端コーナ部切断屑を同時に除去できる。
【００１５】
本発明のスロッタ装置は、前記屑落し手段が、前記受スロッタの外周上に、全周にわたって配されていることを特徴とする。
本発明によれば、前端受スロッタの外周の一部にのみ屑落し手段が配されている場合、運転時に前端スロッタと前端受スロッタを回転させていくと、前端スロッタと前端受スロッタとに外周長に差があるため、屑落し手段が切り屑に当接しない場合がある。前記屑落し手段が、前記前端受スロッタの外周上に、全周にわたって配されていることで、前端スロッタと前端受スロッタとの外周差に関わらず、屑落し手段が切り屑に当接することが可能となる。同様に、屑落し手段が、後端受スロッタの外周上に、全周にわたって配されていることで、後端スロッタと後端受スロッタとの外周差に関わらず、屑落し手段が切り屑に当接することが可能となる。
【００１６】
本発明のスロッタ装置は、前記屑落し手段が、前記切断屑を突き刺して除去する二叉状の保持刃または針状の掛止針であることを特徴とする。
保持刃や掛止針は金属素材からなり、その先端部分を切断屑に貫通させて掛止する。保持刃は二叉形状であり、二叉の両端の各々が刃の先端として受スロッタの半径方向外向きに配されている。掛止針は針形状であり、針の先端が受スロッタの半径方向外向きに配される。保持刃や掛止針の先端は切断屑に貫通して掛止できればよく、例えば、鋭く尖った形状や、丸みを帯びた形状、直方体形状となっている。
本発明によれば、屑落し手段をこのような形状とすることで、屑落し手段を切断屑に突き刺して除去することができ、切断屑を完全に除去することが容易となる。
【００１７】
本発明のスロッタ装置は、前記スロッタが、前記屑落し手段に対向配置された屑落し受台を備え、切断屑に保持刃または掛止針を突き刺すために、前記屑落し手段と前記屑落し受台とにより前記シートを二方向から挟み込むことを特徴とする。
本発明では、屑落し受台は、この突き刺した保持刃または掛止針を受けるための台のことである。つまり、屑落し受台が対面するシート部分にのみ保持刃あるいは掛止針を突き刺し、屑落し受台が対面しないシート部分では、シートが逃げるため、突き刺さすことはない。
本発明によれば、屑落し受台を備えることにより、継代に保持刃または掛止針の貫通痕を残すことなく、切断屑となる部分だけを保持刃または掛止針で突き刺して掛止することができる。
【発明の効果】
【００１８】
本発明のスロッタ装置によれば、継代につながる切断屑を完全に除去することができるようにするとともに、装置構成や動作が単純でコンパクトなスロッタ装置を提供することができる。
【図面の簡単な説明】
【００１９】
【図１】本発明の実施形態の製函機をＯＰ側（操作者側）から見た側面図である。
【図２】上記実施形態のスロッタ装置の要部をＯＰ側の側面からみた要部構造図である。
【図３】上記実施形態の継代形成時のシートの平面図である。
【図４】上記実施形態の継代形成時のシートの平面図である。
【図５Ａ】上記実施形態のスロッタ刃が配されたスロッタの斜視図である。
【図５Ｂ】上記実施形態のスロッタ刃および屑落し受台が配されたスロッタの斜視図である。
【図６】上記実施形態の保持刃が配された受スロッタの斜視図である。
【図７】上記実施形態の掛止針が配された受スロッタの斜視図である。
【図８】内貼り箱となるシート（ブランク）を示す平面図である。
【発明を実施するための形態】
【００２０】
以下、本発明を適用した具体的な実施の形態について、図面を参照しながら詳細に説明する。
【００２１】
（本発明の実施の形態）
図１は、本発明を適用した実施形態の製函機１（本発明の製函機１）をＯＰ側（操作者側）から見た側面図である。図２は、本実施形態の製函機１のうち、スロッタ装置１３の要部をＯＰ側の側面からみた要部構造図である。図３，４は、本実施形態の継代形成時のシートＡの平面図である。図１，２における符号ｙは、シート流れ方向である。本明細書において、シート流れ方向とはシートＡの進行方向のうち概ね水平な方向を指しており、シート流れ方向と直交する概ね水平な方向をシート幅方向という。またＯＰ側の反対位置は、ＤＲ側（駆動源側）という。
【００２２】
製函機１は、上流側からシート流れ方向ｙの順に、シートＡを印刷ユニット側に送り出す給紙ユニット１１、シートＡに印刷を施す印刷ユニット１２、シートＡに罫線付与と溝切り加工とフラップカット等を施すスロッタ装置１３、シートＡに抜き加工を施すダイカッタ１４、シートＡに糊付け加工を施すグルア１５、シートＡを折り曲げて接合するフォルダ１６、上記加工が施されたシートＡを揃えて積み上げるカウンタユニット１７から構成される（図１）。
【００２３】
図２に示すように、スロッタ装置１３には、上流から順に、貼り合わされるシートＡの板厚を薄くするためのクラッシャ（不図示）、シートＡから継代を切り出すフラップカッタ３１、シートＡに罫線付与を施す第２押罫部材３６、シートＡに溝切り加工を施すスロッタ３２，３３、シートを加工せずに送りだす送りロール３７，３８が備わっている。
【００２４】
シートＡの移送路における上下には、互いに逆方向に回転される前端スロッタ３２と前端受スロッタ３４、および後端スロッタ３３と後端受スロッタ３５とが設けられている。スロッタ３２，３３には複数のスロッタ刃が備わり、他方、受スロッタ３４，３５には、スロッタ刃３２２，３３２に対向して刃受溝が備わる。
【００２５】
なおフラップカッタ３１の同軸上背後（ＤＲ側）には、シートＡに別の罫線付与を施す第１押罫部材が備わる（不図示）。罫線付与は、第１押罫部材（不図示）、第２押罫部材３６の順になされる。またスロッタ３２，３３と同軸上（ＤＲ側）には、シート端にスリット加工を施すスリッタ（不図示）が備わる。
【００２６】
フラップカッタ３１の外端側には、シートＡから継代ｆを切り出す前端フラップカッタ刃３１１，後端フラップカッタ刃３１２が設けられ（図２，３）、シートＡに継代ｆを形成するために、シートＡの継代側ｆ１の一部である継代側部前端ｆ２および継代側部後端ｆ３を切断する目的で使用される。前端フラップカッタ刃３１１，後端フラップカッタ刃３１２は、シートＡの継代ｆとなる部分の移送路上に位置し、フラップカッタ３１の外周面上において、シート流れ方向ｙと交差する角度で取り付けられている。
【００２７】
シートＡの継代ｆの移送路上に、上流から後端スロッタ３３、前端スロッタ３２の順に配されている（図２）。前端スロッタ３２は上スロッタ軸３２１を軸心として回転し、後端スロッタ３３は上スロッタ軸３３１を軸心として回転する。スロッタ３２，３３の外周面には、スロッタ刃３２２，３３２が設けられている。
【００２８】
前端スロッタ刃３２２を有する前端スロッタ３２と、後端スロッタ刃３３２を有する後端スロッタ３３とは同様の構成であるが、図２に示すように、前端スロッタ刃３２２と後端スロッタ刃３３２とは向かい合うように対称配置されている。すなわち端部刃３２２ｄと、端部刃３３２ｄとが向かい合うように構成されており、これによって図３，４に示すようにシートＡに前後対称な切込みを生じさせる。以下、スロッタ３２，３３に配されたスロッタ刃３２２，３３２の装置構成は、前端スロッタ３２を用いて詳細に説明することとし、上記の理由により後端スロッタ３３２の図示は省略する。
【００２９】
図５Ａは、本実施形態の前端スロッタ刃３２２が配された前端スロッタ３２の斜視図である。本来、図５Ｂに示すように、前端スロッタ３２は前端スロッタ刃３２２の外側に前端屑落し受台３２３を備えるが、前端スロッタ刃３２２を説明するため、図５Ａでは前端屑落し受台３２３を省略して図示している。
【００３０】
前端スロッタ刃３２２は、前端スロッタ３２の外周上に周方向に取り付けられており、前端スロッタ３２と共に回転する。前端スロッタ刃３２２はシートＡの継代前端のスロット形成部ｆ４に溝切り加工を施してスロットを形成するために使用される（図３，５Ａ）。
【００３１】
前端スロッタ刃３２２は、２つの刃３２２ａ，３２２ｂが周方向に沿って平行に配置されており、スロッタ刃３２２の一端には端部刃３２２ｄが備わる（図５Ａ）。ＯＰ側の刃３２２ｂには切欠き３２２ｃが備わり、他方、ＤＲ側の刃３２２ａは、刃が途切れることなく備わり、切欠きは形成されていない。
【００３２】
同様に、後端スロッタ刃３３２は、後端スロッタ３３の外周上に周方向に取り付けられており、後端スロッタ３３と共に回転する。後端スロッタ刃３３２は、シートＡの継代後端のスロット形成部ｆ９に溝切り加工を施してスロットを形成するために使用される（図２，３）。
【００３３】
後端スロッタ刃３３２は、２つの刃が周方向に沿って平行に配置されており、スロッタ刃３３２の一端には端部刃が備わる（不図示）。ＯＰ側の刃には切欠きが備わり、他方、ＤＲ側の刃は、刃が途切れることなく備わり、切欠きは形成されていない（不図示）。
【００３４】
図６は、本実施形態の屑落し手段３４１（または屑落し手段３５１）の一例である保持刃４０が配された受スロッタ３４（または受スロッタ３５）の斜視図である。図７は、本実施形態の他の屑落し手段３４１（または屑落し手段３５１）の一例である掛止針４１が配された受スロッタ３４（または受スロッタ３５）の斜視図である。
【００３５】
受スロッタ３４，３５は、前端受スロッタ３４か、後端受スロッタ３５の少なくともいずれか一方を指す（図２）。前端受スロッタ３４は、前端スロッタ３２の下方に対向配置されており、後端受スロッタ３５は、後端スロッタ３３の下方に対向配置されている。その他の部品については、前端受スロッタ３４と、後端受スロッタ３５は同様に構成される。
【００３６】
前端受スロッタ３４の外周には、その全周にわたって、前端スロッタ刃３２２に対向配置された刃受溝３４ａが備わるとともに、前端受スロッタ３４と共に回転する前端屑落し手段３４１が配されている（図２，６，７）。前端屑落し手段３４１は、継代ｆの移送路下流に配されている。
【００３７】
同様に、後端受スロッタ３５の外周には、その全周にわたって、後端スロッタ刃３３２に対向配置された刃受溝３５ａが備わるとともに、後端受スロッタ３５と共に回転する後端屑落し手段３５１が配されている（図２，６，７）。後端屑落し手段３５１は、継代の移送路上流に配されている。
【００３８】
屑落し手段３４１，３５１は、前端屑落し手段３４１か、後端屑落し手段３５１の少なくともいずれか一方を指す。前端屑落し手段３４１は、その先端部分がシートＡと接触して、図４に示す切断屑ｆ１５を掛止して落とすために使用され、後端屑落し手段３５１は、その先端部分がシートＡと接触して、図４に示す切断屑ｆ１７を掛止して落とすために使用される。
【００３９】
屑落し手段３４１，３５１は、その先端部分が、図４に示す切断屑ｆ１５，ｆ１７に貫通してこれを掛止するものであれば特に限定はされない。例えば屑落し手段３４１，３５１は、二叉状の保持刃４０や、針状の掛止針４１である（図６，７）。保持刃４０や掛止針４１は金属素材からなり、保持刃４０は二叉形状であり、二叉状の両端の各々が刃の先端として受スロッタの半径方向外向きに配されている。掛止針４１は針形状であり、針の先端が受スロッタの半径方向外向きに配される。
【００４０】
保持刃４０や、針状の掛止針４１の基端部は、受スロッタ３４，３５の外周面に固定され、保持刃４０や、針状の掛止針４１の先端は、受スロッタ３４，３５の回転軸３４２，３５２を中心として放射状に上向きに配される。保持刃４０や掛止針４１の先端の形状は、例えば、鋭く尖った形状や、丸みを帯びた形状、直方体形状となっており、これにより切断屑ｆ１５，ｆ１７を貫通して掛止する。
【００４１】
保持刃４０または掛止針４１は、所定の間隔をおいて設けた構成とされる。例えば、受スロッタ３４，３５の外周にわたり、１列配置か、２列並列配置か、または２列千鳥配置で各々の刃（または針）が配置される。１列配置とは、図７に示すように周方向に沿って各々の刃（または針）が等間隔で１列に配置されたものである。２列並列配置とは、図６に示すように周方向に沿って各々の刃（または針）が等間隔で２列が並列に配置されたものである。２列千鳥配置とは、周方向に沿って各々の刃（または針）が等間隔で２列が互い違いに配置されたものであり、例えば一方の列の刃（または針）の位置から４５°ずらした位置に、他方の列の刃（または針）が配置されている（不図示）。
【００４２】
屑落し手段３４１，３５１をこのような配置構成とすることで、切断屑ｆ１５，ｆ１７を容易に掛止し除去することができる。
【００４３】
図５Ｂは、本実施形態の前端スロッタ刃３２２および前端屑落し受台３２３が配された前端スロッタ３２の斜視図である。
【００４４】
スロッタは屑落し受台を備える。具体的には前端スロッタ３２に、前端屑落し受台３２３が備わり（図２，５Ｂ）、後端スロッタ３３に、後端屑落し受台３３３が備わる（図２）。屑落し受台は、保持刃４０または掛止針４１を突き刺した際に、その刃先や針先を受けるための台（相手側）として使用される。保持刃４０または掛止針４１がシートＡを貫通するため、屑落し受台には、例えばウレタンアンビル等の弾性体からなる。
【００４５】
前端屑落し受台３２３は、前端スロッタ３２の外周上において前端スロッタ刃３２２に重なるように前端スロッタ刃３２２の外側（ＯＰ側）に配されている（図５Ｂ）。また前端屑落し受台３２３は、前端受スロッタ３４に備わる前端屑落し手段３４１（保持刃４０または掛止針４１）に対面するように、前端屑落し手段３４１に対して対向配置される（図２）。前端屑落し受台３２３は、前端スロッタ刃３２２の端部刃３２２ｄの外側周囲Ｓから離れた位置３２３ａから周方向に配置されており（図５Ｂ）、前端スロッタ３２の全周には配置されていない。前端屑落し受台３２３は、前端コーナ部切断屑ｆ１５が保持刃４０または掛止針４１から逃げないよう背面から制限する。このように前端屑落し手段３４１と前端屑落し受台３２３によって、シートＡを二方向から挟み込むように構成している。
【００４６】
同様に、後端屑落し受台３３３は、後端スロッタ３３の外周上において後端スロッタ刃３３２に重なるように後端スロッタ刃３３２の外側（ＯＰ側）に配されている（不図示）。また後端屑落し受台３３３は、後端受スロッタ３５に備わる後端屑落し手段３５１（保持刃４０または掛止針４１）に対面するように、後端屑落し手段３５１に対して対向配置される（図２）。後端屑落し受台３３３は、後端スロッタ刃３３２の端部刃３３２ｄの外側周囲から離れた位置から周方向に配置されており（不図示）、後端スロッタ３３の全周には配置されていない。後端屑落し受台３３３は、後端コーナ部切断屑ｆ１７が保持刃４０または掛止針４１から逃げないよう背面から制限する。このように後端屑落し手段３５１と後端屑落し受台３３３によって、シートＡを二方向から挟み込むように構成している。
【００４７】
前端受スロッタ３４の下流側の下方には、前端屑落しスクレーパ３４３、前端屑落しガイド３４４を備える（図２）。前端屑落しスクレーパ３４３は、前端受スロッタ３４の回転面に交差する所定の傾きで傾斜して設けられており、前端屑落しスクレーパ３４３の先端が前端受スロッタ３４の外周面に当接している。同様にして、後端受スロッタ３５の下流側の下方には、後端屑落しスクレーパ３５３を備える（図２）。後端屑落しスクレーパ３５３は、後端受スロッタ３５の回転面に交差する所定の傾きで傾斜して設けられており、後端屑落しスクレーパ３５３の先端が前端受スロッタ３５の外周面に当接している。
【００４８】
（本実施形態の製函機１による加工）
製函機１は、まず給紙ユニット１１にてシートＡを印刷ユニット側に送り出し、印刷ユニット１２にてシートＡに印刷をした後、スロッタ装置１３にシートＡを送りこむ。
【００４９】
スロッタ装置１３では、シートＡが上流側から搬送されると、クラッシャにより、貼り合わされるシートＡの板厚を薄くし、フラップカッタ３１によりシートＡから継代側部を切断する。この時、フラップカッタ３１を回転させて、前端フラップカッタ刃３１１によって継代側部前端ｆ２を切断し、後端フラップカッタ刃３１２は継代側部後端ｆ３を切断する。このようにしてフラップカッタ刃３１１，３１２により、シートＡがカットされて継代側部前端ｆ２および継代側部後端ｆ３が切断される。これと同時に、フラップカッタ３１と同軸上の位置する第１押罫部材によって、シートＡに罫線付与を施す。そしてシートＡを続けて移送し、第２押罫部材３６によってシートＡに別の罫線付与を施す。
【００５０】
その後、シートＡは後端スロッタ３３に送り込まれ、前端スロッタ３２に送り込まれるが、後端スロッタ刃３３２と前端スロッタ刃３２２とがシートＡを同時に切断できるよう、後端スロッタ３３と、前端スロッタ３２とは同期して回転している。これにより後端スロッタ刃３３２による切断と、前端スロッタ刃３２２による切断が行われる。
【００５１】
前端スロッタ刃３２２は、前端受スロッタ３４に形成された刃受溝３４ａとで送り込まれてくるシートＡにスロットを形成する。前端スロッタ３２では、図５Ａに示した刃３２２ａによって、図３に示す符号ｆ７の箇所を切断する。それと同時に図５Ａに示した刃３２２ｂによって、符号ｆ５の箇所を切断するとともに、切欠き３２２ｃによって符号ｆ６の箇所を切断することなく残す。そして端部刃３２２ｄによって符号ｆ８の箇所を切断する（図３，５Ａ）。
【００５２】
これと同時に、後端スロッタ刃３３２は、後端受スロッタ３５に形成された刃受溝３５ａとで送り込まれてくるシートＡにスロットを形成する。後端スロッタ３３では、図示しない端部刃によって図３に示す符号ｆ１０の箇所を切断する。そしてＤＲ側の刃（切欠きを有さない刃）によって、図３に示す符号ｆ１１の箇所を切断する。それと同時にＯＰ側の刃（切欠きを有する刃）によって、符号ｆ１２の箇所を切断するとともに、切欠きによって符号ｆ１３の箇所を切断することなく残す（図３）。
【００５３】
このようにして、後端スロッタ刃３３２により、後端側のスロット形成部ｆ４を、その一部を切断せず繋がった状態で残すように切断し、前端スロッタ刃３２２により、前端側のスロット形成部ｆ９を、その一部を切断せず繋がった状態で残すように切断する。
【００５４】
さらに、これと同時に、後端スロッタ刃３３２の下方では、後端スロッタ刃３３２と後端屑落し受台３３３の回転に合わせて後端受スロッタ３５が回転しており、後端受スロッタ３５上の後端屑落し手段３５１の保持刃４０や掛止針４１の先端は、回転しながら、一部が繋がった状態の後端コーナ部切断屑ｆ１７（図４）のｆ１６の箇所で後端屑落し受台３３３と対面し、その部分を突き刺すように貫通して掛止する一方で、継代ｆでは貫通することなくシートＡが通過する（図３，４）。このようにして後端コーナ部切断屑ｆ１７を切断屑ｆ１７としてシートＡから分離する。
【００５５】
加えて、これと同時に、前端スロッタ刃３２２の下方では、前端スロッタ刃３２２と前端屑落し受台３２３の回転に合わせて前端受スロッタ３４が回転しており、前端受スロッタ３４上の前端屑落し手段３４１の保持刃４０や掛止針４１の先端は、回転しながら、一部が繋がった状態の前端コーナ部切断屑ｆ１５のｆ１４の箇所で前端屑落し受台３２３と対面し、その部分を突き刺すように貫通して掛止する一方で、継代ｆでは貫通することなくシートＡが通過する（図３，４）。このようにして、前端コーナ部切断屑ｆ１５を切断屑ｆ１５としてシートＡから分離する。
【００５６】
本発明では、スロッタが屑落し受台を備えており、かつ屑落し受台は、スロッタの全周には配されず、スロッタの一部にだけ配されているため（図５Ｂ）、切断屑の部分（ｆ１４やｆ１６の箇所）だけを保持刃４０または掛止針４１で突き刺して掛止することができる（図３，４）。一方で保持刃４０または掛止針４１は、継代ｆには貫通しないため、継代ｆに保持刃４０または掛止針４１の貫通痕が残ることがない。このようにして、シートＡの端縁には継代ｆが形成される。なお、もしスロッタが屑落とし受台を備えない場合、シートＡが逃げるため、シートＡのどの部分も突き刺すことができない。
【００５７】
その後、後端側の切断屑ｆ１７は、後端屑落し手段３５１に掛止されながら回転する（図２）。切断屑ｆ１７は屑落しスクレーパ３５３の先端に接触し、なおも回転を続けることで、後端側の切断屑ｆ１７が後端屑落し手段３５１から剥がれ落とされる。同様に、前端側の切断屑ｆ１５は、前端屑落し手段３４１に掛止されながら回転する。切断屑ｆ１５は屑落しスクレーパ３４３の先端に接触し、なおも回転を続けることで、前端側の切断屑ｆ１５が前端屑落し手段３４１から剥がれ落とされる。このようにして、保持刃４０や掛止針４１といった、屑落し手段３４１，３５１に掛止された、前端側の継代側コーナ部切断屑ｆ１５や後端側の継代側コーナ部切断屑ｆ１７は、切断屑ｆ１５，ｆ１７として除去される。
【００５８】
その後シートＡは、送りロール３７，３８によって送り出されて、ダイカッタ１４へ移送される。ダイカッタ１４にてシートＡに抜き加工を施し、次工程のグルア１５にてシートＡの継代ｆの糊付けエリアに糊付け加工を施し、フォルダ１６にてシートＡを折り曲げて接合する。その後、カウンタユニット１７にてシートＡ（折り畳まれた状態の箱）を揃えて積み上げる。
【００５９】
本発明は、上述したダブルスロッタ構成の装置の実施の形態に限定されるものではない。その他の実施の形態として、例えば、前端屑落し手段と後端屑落し手段および前端屑落し受台と後端屑落し受台をシングルスロッタに適宜配置した構成の装置でも同様に実現可能である。
【符号の説明】
【００６０】
１                      製函機、
１３                    スロッタ装置、
３１                    フラップカッタ、
３２                    前端スロッタ（スロッタ）、
３３                    後端スロッタ（スロッタ）、
３４                    前端受スロッタ（受スロッタ）、
３５                    後端受スロッタ（受スロッタ）、
３６                    第２押罫部材、
３７                    送りロール、
３８                    送りロール、
３１１                  前端フラップカッタ刃（フラップカッタ刃）、
３１２                  後端フラップカッタ刃（フラップカッタ刃）、
３２２                  前端スロッタ刃（スロッタ刃）、
３２３                  前端屑落し受台（屑落し受台）、
３３２                  後端スロッタ刃（スロッタ刃）、
３３３                  後端屑落し受台（屑落し受台）、
３４１（４０，４１）    前端屑落し手段（保持刃、掛止針）、
３４３                  前端屑落しスクレーパ（屑落しスクレーパ）、
３４４                  前端屑落しガイド（屑落しガイド）、
３５１（４０，４１）    後端屑落し手段（保持刃、掛止針）、
３５３                  後端屑落しスクレーパ（屑落しスクレーパ）、
３５４                  後端屑落しガイド（屑落しガイド）、
Ａ                      シート、
ｆ                      継代、
ｆ２                    継代側部前端、
ｆ３                    継代側部後端、
ｆ４                    前端側のスロット形成部（スロット形成部）、
ｆ９                    後端側のスロット形成部（スロット形成部）、
ｆ１５                  前端コーナ部切断屑（切断屑）、
ｆ１７                  後端コーナ部切断屑（切断屑）
【図１】
2020023035.tif 000003
【図２】
2020023035.tif 000004
【図３】
2020023035.tif 000005
【図４】
2020023035.tif 000006
【図５Ａ】
2020023035.tif 000007
【図５Ｂ】
2020023035.tif 000008
【図６】
2020023035.tif 000009
【図７】
2020023035.tif 000010
【図８】
2020023035.tif 000011